(57)【要約】      （修正有）【課題】へらの付いた特別な道具を用いたり、ティッシュペーパなどを用いたりせずに、食器などの内壁や角部、カーブしている部分などに付着した残余食品をきれいに拭き取ることのできるクリーナを提供する。【解決手段】クリーナ１０の端部１４に、カーブしたＲ部を有する、へらとして動作する部分を設けたものであり、このへらとして動作する部分をスポンジ部材を包み込む袋状又は筒状の繊維部材１２の開口部をヒートシールにより溶着して設ける。【選択図】図１
0003105044.tif 000002
【実用新案登録請求の範囲】
【請求項１】
芯となるスポンジ部材と、前記スポンジ部材を包み込む袋状又は筒状の繊維部材とを有し、前記繊維部材の開口部がヒートシールにより溶着されたクリーナにおいて、
前記開口部が溶着されてできた端部が前記スポンジ部材の厚さより十分薄い厚さであり、かつ前記スポンジ部材の長手方向又は短手方向に伸長する部分を有し、さらに前記端部に、Ｒ部を有し、へらとして作用する比較的硬い部分を設けたことを特徴とするクリーナ。
【請求項２】
前記Ｒ部が前記スポンジ部材の１つの短辺と、前記短辺につながる１つの長辺にわたって設けられていることを特徴とする請求項１に記載のクリーナ。
【請求項３】
前記Ｒ部の半径が数センチメートルであることを特徴とする請求項１又は２に記載のクリーナ。
【請求項４】
前記繊維部材が、合成樹脂フィルム又は金属被覆合成樹脂フィルムからなる繊維を用いた織布あるいは編み物であることを特徴とする請求項１から３のいずれか１つに記載のクリーナ。
【請求項５】
前記スポンジ部材が合成樹脂の発泡体からなることを特徴とする請求項１から４のいずれか１つに記載のクリーナ。
【請求項６】
前記合成樹脂がポリウレタンであることを特徴とする請求項１から５のいずれか１つに記載のクリーナ。
【考案の詳細な説明】
【技術分野】
【０００１】
本考案は、クリーナに関し、特に台所などで洗剤を用いて食器や鍋などを洗浄するのに適したクリーナであって、スポンジ部材を袋状又は筒状の繊維部材で覆ったものの改良に関する。
【背景技術】
【０００２】
様々なクリーナが台所用などとして生産され、用いられている。これらの中で、スポンジ部材を芯として、袋状又は筒状の繊維部材で包み込んだものが知られている（下記の特許文献１参照）。また、筒状の繊維部材の開口部を、ヒートシールにより溶着・加工して閉じているものがある。
【特許文献１】実用新案登録第３０６７９２３号公報
【考案の開示】
【考案が解決しようとする課題】
【０００３】
しかしながら、上記従来のスポンジ部材を袋状又は筒状の繊維部材で覆った構成のクリーナでは、クリーナ全体を用いて食器や鍋などを洗浄することはできるが、食器や鍋などの内壁や、角部、カーブしている部分などに付着した残余食品をきれいに拭き取ることが困難であった。したがって、かかる残余食品をきれいに拭き取るためには、へらの付いた特別な道具を用いたり、ティッシュペーパなどを用いたりしなければならず、食器や鍋などの洗浄作業に手間取るという問題があった。
【０００４】
本考案は上記従来の問題を解決するもので、へらの付いた特別な道具を用いたり、ティッシュペーパなどを用いたりせずに、食器や鍋などの内壁や角部、カーブしている部分などに付着した残余食品をきれいに拭き取ることのできるクリーナを提供することを目的とする。
【課題を解決するための手段】
【０００５】
上記目的を達成するために本考案では、クリーナの端部に、カーブしたＲ部を有するへらとして動作する部分を設けたものであり、このへらとして動作する比較的硬い部分を、スポンジ部材を包み込む袋状又は筒状の繊維部材の開口部をヒートシールにより溶着して設けるようにしている。
【０００６】
すなわち本考案によれば、芯となるスポンジ部材と、前記スポンジ部材を包み込む袋状又は筒状の繊維部材とを有し、前記繊維部材の開口部がヒートシールにより溶着されたクリーナにおいて、
前記開口部が溶着されてできた端部が前記スポンジ部材の厚さより十分薄い厚さであり、かつ前記スポンジ部材の長手方向又は短手方向に伸長する部分を有し、さらに前記端部に、Ｒ部を有し、へらとして作用する比較的硬い部分を設けたことを特徴とするクリーナが提供される。
【０００７】
また前記Ｒ部が前記スポンジ部材の１つの短辺と、前記短辺につながる１つの長辺にわたって設けられていることは本考案の好ましい態様である。
【０００８】
また前記Ｒ部の半径が数センチメートルであることは本考案の好ましい態様である。
【０００９】
また前記繊維部材が、合成樹脂フィルム又は金属被覆合成樹脂フィルムからなる繊維を用いた織布あるいは編み物であることは本考案の好ましい態様である。
【００１０】
また前記スポンジ部材が合成樹脂の発泡体からなることは本考案の好ましい態様である。
【００１１】
また前記合成樹脂がポリウレタンであることは本考案の好ましい態様である。
【考案の効果】
【００１２】
本考案のクリーナは、その端部にＲ部を有するへら部を設けたので、食器や鍋などの内壁や角部、カーブしている部分などの残余食品をきれいに拭き取ることが可能であり、よって、へら付き道具を用いたり、ティッシュペーパなどを用いることなく、クリーナのみで残余食品の拭き取りと洗浄を行うことができる。すなわち、へら部で食器や鍋などに付着した残余食品を拭き取った後に、クリーナの本体で洗浄を行うことができる。
【考案を実施するための最良の形態】
【００１３】
以下、本考案の実施の形態について、図１〜図４を用いて説明する。図１は本考案のクリーナの好ましい実施の形態を示す平面図であり、図２はその正面図である。さらに図３は、図１中のＡ−Ａ線で切断した断面図であり、図４は、図１中のＢ−Ｂ線で切断した断面図である。図３、図４の断面図に示されるように、クリーナ１０は、芯となるスポンジ部材としての合成樹脂の発泡体１８とこれを覆う筒状体１２とを有している。発泡体１８の合成樹脂としては、ポリウレタンやメラミンを用いることができる。また、筒状体１２は、繊維部材であり、幅が１ｍｍ程度か、それ以下の繊維を用いて筒状の織布あるいは編み物として構成したものである。なお、繊維部材１２は、袋状であってもよい。この繊維部材１２を構成する繊維としては、アルミなどを蒸着したポリエステルなどのフィルムを細く裁断したものを、巻き付けて構成することができる。なお、かかる材料で構成された繊維部材１２は、一般にアルミネットなどと呼ばれて、家庭用のスポンジクリーナの外装や、それ自体でクリーナを構成するものとして広く知られている。さらに、アルミなどの金属により被覆されていないポリエステルなどの合成樹脂フィルムを細く裁断したものを、巻き付けて繊維部材１２を構成することもできる。
【００１４】
このクリーナを製造するためには、筒状体１２の内部に合成樹脂の発泡体１８（スポンジ部材）を挿入し、その後、筒状体１２の両端部の開口部をヒートシールにより溶着して閉じる。両端部の溶着により、スポンジ部材の厚さより十分薄い厚さの端部１４、１６であって、比較的硬い部分が両端にできる。この溶着部分の端部１４、１６はスポンジ部材１８の長手方向に伸長している。また、端部１４は、その角部にカーブしたＲ部１４Ａを有している。この比較的硬い部分としての端部１４、１６は残余食品を拭き取るためのへら部として作用するものである。特にＲ部１４Ａは、食器や鍋などの内壁や角部、カーブ部での残余食品の拭き取りに効果的である。なお、「比較的硬い」とは、ヒートシールを施していない他の部分より十分硬いことを意味している。
【００１５】
上記実施の形態では、繊維部材１２が筒状体であり、よって、その両端の開口部をそれぞれヒートシールにより閉じることにより、両端部にへらとして作用する比較的硬い部分を構成しているが、繊維部材１２として１つの開口部を有する袋状体を用いることもできる。この場合は、１つの開口部をヒートシールにより閉じることにより、一方の端部にのみ、へらとして作用する部分を構成することができる。
【産業上の利用可能性】
【００１６】
以上のように本考案では、繊維部材の開口部をヒートシールにより溶着して、残余食品を拭き取るためのへら部として作用する端部を設けたので、クリーナにより食器や鍋などを洗浄する際に、特別な拭き取り用の道具などを用いることなく食器や鍋の内壁や角部、カーブしている部分などの残余食品を効果的に拭き取ることができ、よって、本考案は、家庭その他の台所その他の場所での洗浄用クリーナに広く有用である。なお、上記実施の形態は、残余食品を拭き取る場合を例に挙げて説明しているが、これに限らず、家庭や事務所、工場などあらゆる所（床、絨毯、トイレ、風呂場など）や自動車（室内及び外装並びにタイヤなど）の洗浄に本考案のクリーナを利用することができる。
【図面の簡単な説明】
【００１７】
【図１】本考案のクリーナの好ましい実施の形態の平面図である。
【図２】図１のクリーナの正面図である。
【図３】図１中のＡ−Ａ線で切断した断面図である。
【図４】図１中のＢ−Ｂ線で切断した断面図である。
【符号の説明】
【００１８】
１０  クリーナ
１２  筒状体（繊維部材）
１４、１６  端部
１４Ａ  Ｒ部
１８  合成樹脂の発泡体（スポンジ部材）
【図１】
0003105044.tif 000003
【図２】
0003105044.tif 000004
【図３】
0003105044.tif 000005
【図４】
0003105044.tif 000006